(57)【要約】  外部からの受信待機のための消費電力を抑制する。  電子機器における電源を制御する電源制御回路は、電源起動スイッチと、受信部と、整流器と、制御回路とを備える。電源起動スイッチは、電源の供給を起動するためのスイッチである。受信部は、電磁波を受信するものである。整流器は、受信部により受信された電磁波を整流して整流信号を出力して、その整流信号により電源起動スイッチを導通状態にする。制御回路は、電源起動スイッチが導通状態になることにより電源の供給を受けて動作を開始する。
2019142417.tif 000002
【特許請求の範囲】
【請求項１】
電源の供給を起動するための電源起動スイッチと、
電磁波を受信する受信部と、
前記受信部により受信された前記電磁波を整流して整流信号を出力してその整流信号により前記電源起動スイッチを導通状態にする整流器と、
前記電源起動スイッチが導通状態になることにより電源の供給を受けて動作を開始する制御回路と
を具備する電源制御回路。
【請求項２】
前記電源起動スイッチと並列に接続される電源維持スイッチをさらに具備し、
前記制御回路は、前記動作を開始すると前記電源維持スイッチを導通状態にして前記制御回路への電源の供給を維持する
請求項１記載の電源制御回路。
【請求項３】
前記制御回路は、前記電磁波により本体回路を起動する信号を所定期間内に受け取らなかった場合には前記電源維持スイッチを切断状態にして前記制御回路への電源の供給を停止する
請求項２記載の電源制御回路。
【請求項４】
前記整流器から前記電源起動スイッチへの信号の受付を制御する受付制御スイッチをさらに具備し、
前記制御回路は、前記電源維持スイッチを導通状態にした後に前記受付制御スイッチを導通状態にすることにより前記電源起動スイッチを切断状態にする
請求項２記載の電源制御回路。
【請求項５】
前記電源維持スイッチと直列に接続されて、前記電源維持スイッチが切断状態になった後にも前記制御回路への電源供給を一定期間継続させる容量をさらに具備する
請求項２記載の電源制御回路。
【請求項６】
本体回路の電源制御を行う本体電源スイッチをさらに具備し、
前記制御回路は、前記電磁波が前記本体回路を起動する信号であった場合には前記本体電源スイッチを導通状態にして前記本体回路への電源の供給を開始させる
請求項１記載の電源制御回路。
【請求項７】
本体回路への制御信号を含む電磁波を受信する第２の受信部をさらに具備し、
前記制御回路は、前記第２の受信部により受信された前記制御信号に従って前記本体回路を制御する
請求項１記載の電源制御回路。
【請求項８】
前記受信部により受信された前記電磁波から本体回路への制御信号を含む電磁波を分波する分波器をさらに具備し、
前記制御回路は、前記分波器により分波された前記制御信号に従って前記本体回路を制御する
請求項１記載の電源制御回路。
【請求項９】
前記受信部により受信された前記電磁波から本体回路への制御信号を含む電磁波を分配する分配器をさらに具備し、
前記制御回路は、前記分配器により分配された前記制御信号に従って前記本体回路を制御する
請求項１記載の電源制御回路。
【請求項１０】
前記整流器は、前記電磁波を正の信号に整流し、
前記電源起動スイッチは、ノーマリーオフ型ＮＭＯＳトランジスタである
請求項１記載の電源制御回路。
【請求項１１】
前記整流器は、前記電磁波を負の信号に整流し、
前記電源起動スイッチは、ノーマリーオフ型ＰＭＯＳトランジスタである
請求項１記載の電源制御回路。
【請求項１２】
前記受信部は、アンテナである
請求項１記載の電源制御回路。
【請求項１３】
前記受信部は、コイルである
請求項１記載の電源制御回路。
【請求項１４】
本体回路と、
前記本体回路の電源制御を行う本体電源スイッチと、
電源の供給を起動するための電源起動スイッチと、
電磁波を受信する受信部と、
前記受信部により受信された前記電磁波を整流して整流信号を出力してその整流信号により前記電源起動スイッチを導通状態にする整流器と、
前記電源起動スイッチが導通状態になることにより電源の供給を受けて動作を開始して、前記電磁波が前記本体回路を起動する信号であった場合には前記本体電源スイッチを導通状態にして前記本体回路への電源の供給を開始させる制御回路と
を具備する電子機器。
【発明の詳細な説明】
【技術分野】
【０００１】
本技術は、電源制御回路を有する電子機器に関する。詳しくは、外部からの信号受信を待機する電源制御回路および電子機器に関する。
【背景技術】
【０００２】
外部からの信号受信を待機する電子機器は、いつ信号が送信されてくるか分からないため、常に電力を消費した待機状態にある。そのため、例えば、バッテリー駆動の無線機器は、待機状態でもバッテリー切れを起こし得る。したがって、バッテリー交換が不可能または容易でない場合、待機状態で消費する電力量を削減することは、その機器の駆動時間を長寿命化することにもつながる。このような待機状態の電力消費を削減する方法として、一定の期間の受信可能状態と受信不可状態を繰り返す間欠受信動作が提案されている（例えば、特許文献１参照。）。
【先行技術文献】
【特許文献】
【０００３】
【特許文献１】特開２０１６−００１９２９号公報
【発明の概要】
【発明が解決しようとする課題】
【０００４】
上述の従来技術では、受信していない状態では電力消費がほとんどないため、無線機器の駆動時間を伸ばすことができる。しかしながら、時刻管理をする回路と、受信回路の電源操作をする回路とが必要となり、受信回路以外において電力を消費してしまう。したがって、信号受信のための待機電力をゼロにすることは困難である。【０００５】
本技術はこのような状況に鑑みて生み出されたものであり、外部からの受信待機のための消費電力を抑制することを目的とする。
【課題を解決するための手段】
【０００６】
本技術は、上述の問題点を解消するためになされたものであり、その第１の側面は、電源の供給を起動するための電源起動スイッチと、電磁波を受信する受信部と、上記受信部により受信された上記電磁波を整流して整流信号を出力してその整流信号により上記電源起動スイッチを導通状態にする整流器と、上記電源起動スイッチが導通状態になることにより電源の供給を受けて動作を開始する制御回路とを具備する電源制御回路および電子機器である。これにより、受信部において受信された電磁波に基づいて制御回路の動作を開始させるという作用をもたらす。【０００７】
また、この第１の側面において、上記電源起動スイッチと並列に接続される電源維持スイッチをさらに具備し、上記制御回路は、上記動作を開始すると上記電源維持スイッチを導通状態にして上記制御回路への電源の供給を維持するようにしてもよい。これにより、制御回路の起動後、制御回路への電源の供給を維持させるという作用をもたらす。【０００８】
また、この第１の側面において、上記制御回路は、上記電磁波により本体回路を起動する信号を所定期間内に受け取らなかった場合には上記電源維持スイッチを切断状態にして上記制御回路への電源の供給を停止するようにしてもよい。これにより、本体回路を起動する信号を受け取らなかった場合に制御回路への電源の供給を停止させるという作用をもたらす。【０００９】
また、この第１の側面において、上記整流器から上記電源起動スイッチへの信号の受付を制御する受付制御スイッチをさらに具備し、上記制御回路は、上記電源維持スイッチを導通状態にした後に上記受付制御スイッチを導通状態にすることにより上記電源起動スイッチを切断状態にするようにしてもよい。これにより、受信部からの新たな信号の受付を停止させるという作用をもたらす。【００１０】
また、この第１の側面において、上記電源維持スイッチと直列に接続されて、上記電源維持スイッチが切断状態になった後にも上記制御回路への電源供給を一定期間継続させる容量をさらに具備するようにしてもよい。これにより、電源維持スイッチが切断状態になった後にも一定期間、受信部からの新たな信号の受付を停止させるという作用をもたらす。【００１１】
また、この第１の側面において、本体回路の電源制御を行う本体電源スイッチをさらに具備し、上記制御回路は、上記電磁波が上記本体回路を起動する信号であった場合には上記本体電源スイッチを導通状態にして上記本体回路への電源の供給を開始させるようにしてもよい。これにより、制御回路によって本体回路への電源の供給を開始させるという作用をもたらす。【００１２】
また、この第１の側面において、本体回路への制御信号を含む電磁波を受信する第２の受信部をさらに具備し、上記制御回路は、上記第２の受信部により受信された上記制御信号に従って上記本体回路を制御するようにしてもよい。これにより、第２の受信部により受信された制御信号に従って本体回路を制御するという作用をもたらす。【００１３】
また、この第１の側面において、上記受信部により受信された上記電磁波から本体回路への制御信号を含む電磁波を分波する分波器をさらに具備し、上記制御回路は、上記分波器により分波された上記制御信号に従って上記本体回路を制御するようにしてもよい。これにより、分波器により分波された制御信号に従って本体回路を制御するという作用をもたらす。【００１４】
また、この第１の側面において、上記受信部により受信された上記電磁波から本体回路への制御信号を含む電磁波を分配する分配器をさらに具備し、上記制御回路は、上記分配器により分配された上記制御信号に従って上記本体回路を制御するようにしてもよい。これにより、分配器により分配された制御信号に従って本体回路を制御するという作用をもたらす。【００１５】
また、この第１の側面において、上記整流器は、上記電磁波を正の信号に整流し、上記電源起動スイッチは、ノーマリーオフ型ＮＭＯＳトランジスタであってもよい。また、上記整流器は、上記電磁波を負の信号に整流し、上記電源起動スイッチは、ノーマリーオフ型ＰＭＯＳトランジスタであってもよい。【００１６】
また、この第１の側面において、上記受信部は、アンテナであってもよく、また、コイルであってもよい。
【発明の効果】
【００１７】
本技術によれば、外部からの受信待機のための消費電力を抑制することができるという優れた効果を奏し得る。なお、ここに記載された効果は必ずしも限定されるものではなく、本開示中に記載されたいずれかの効果であってもよい。
【図面の簡単な説明】
【００１８】
【図１】本技術の実施の形態におけるシステム構成の一例を示す図である。
【図２】本技術の第１の実施の形態における受付回路１００の回路構成の一例を示す図である。
【図３】本技術の第１の実施の形態における受付回路１００の動作の第１の例を示すタイミング図である。
【図４】本技術の第１の実施の形態における受付回路１００の動作の第２の例を示すタイミング図である。
【図５】本技術の第２の実施の形態における受付回路１００の回路構成の一例を示す図である。
【図６】本技術の第２の実施の形態における受付回路１００の動作の第１の例を示すタイミング図である。
【図７】本技術の第２の実施の形態における受付回路１００の動作の第２の例を示すタイミング図である。
【図８】本技術の第３の実施の形態における受付回路１００の回路構成の一例を示す図である。
【図９】本技術の第４の実施の形態における受付回路１００の回路構成の一例を示す図である。
【図１０】本技術の第５の実施の形態における受付回路１００の回路構成の一例を示す図である。
【図１１】本技術の第６の実施の形態における受付回路１００の回路構成の一例を示す図である。
【図１２】本技術の第６の実施の形態における受付回路１００の動作例を示すタイミング図である。
【発明を実施するための形態】
【００１９】
以下、本技術を実施するための形態（以下、実施の形態と称する）について説明する。説明は以下の順序により行う。
１．第１の実施の形態（アンテナを２本用いた例）
２．第２の実施の形態（分波器を利用してアンテナを１本にした例）
３．第３の実施の形態（整流器の極性を反転させた例）
４．第４の実施の形態（整流器の極性を反転させて分波器を利用した例）
５．第５の実施の形態（極性の異なるトランジスタを混在させた例）
６．第６の実施の形態（分配器を利用してアンテナを１本にした例）
【００２０】
＜１．第１の実施の形態＞
［システム構成］
図１は、本技術の実施の形態におけるシステム構成の一例を示す図である。この例では、電子機器１０と、リモートコントローラ２０とを想定する。
【００２１】
電子機器１０は、リモートコントローラ２０からの操作信号に従って動作を行う機器である。この電子機器１０は、例えばＩｏＴ機器などのバッテリー駆動型のデバイスであってもよい。リモートコントローラ２０は、電子機器１０の動作を制御するための遠隔制御装置である。リモートコントローラ２０から電子機器１０に対する操作信号は、電磁波により送信される。ここで、電磁波としては、電波や光など、様々な波長のものが想定される。また、その媒体としては、空気以外の誘電体であってもよい。したがって、例えばミリ波を導波管により伝送するような場合も含まれる。
【００２２】
電子機器１０は、本体回路４００と、本体回路４００に対して電源を供給する電源制御回路３００とを備える。ここで、本体回路４００としては、例えば、テレビジョン受像機（映像機器）、空調機器（エアーコンディショナ）やオーディオ機器などの本体部分が想定される。
【００２３】
電源制御回路３００は、受付回路１００と、制御回路２００とを備える。受付回路１００は、リモートコントローラ２０からの電磁波を受け付けて、その内容に従って制御回路２００および本体回路４００に電源を供給する回路である。制御回路２００は、本体回路４００への電源供給を制御する回路である。
【００２４】
このシステム構成において、受付回路１００がリモートコントローラ２０からの操作信号を受信すると、受付回路１００は制御回路２００に電源を一旦供給する。制御回路２００は、リモートコントローラ２０からの後続の操作信号を待って、本体回路４００を起動する信号を受け取ると、受付回路１００に対する制御信号により、本体回路４００への電源供給を指示する。そして、本体回路４００に対する制御信号により、本体回路４００を起動させる。
【００２５】
一方、リモートコントローラ２０からの後続の操作信号を受け取らなかった場合には、制御回路２００は、受付回路１００に対する制御信号により、制御回路２００への電源供給を停止するよう指示する。これにより、制御回路２００は動作を停止し、制御回路２００による不要な電力消費を抑制することができる。
【００２６】
［回路構成］
図２は、本技術の第１の実施の形態における受付回路１００の回路構成の一例を示す図である。
【００２７】
この第１の実施の形態における受付回路１００は、２本のアンテナ１１１（＃１）および１１２（＃２）と、整流器１２０と、容量１３０（Ｃ１）と、容量１４０（Ｃ２）とを備える。また、この受付回路１００は、電源起動スイッチ１５０（Ｍ１）と、電源維持スイッチ１６０（Ｍ２）と、本体電源スイッチ１７０（Ｍ３）と、受付制御スイッチ１８０（Ｍ４）と、電源１９０とを備える。
【００２８】
アンテナ１１１および１１２は、電磁波を受信する装置である。アンテナ１１１は、リモートコントローラ２０からの、受付回路１００を動作させる契機となる信号を受信するものである。アンテナ１１２は、リモートコントローラ２０からの、本体回路４００を起動する信号を受信するものである。なお、ここでは、電波を受信するためのアンテナを想定したが、近距離無線通信（Near Field Communication）による信号受信を行うためのコイル等であってもよい。アンテナ１１１は、特許請求の範囲に記載の受信部の一例である。
【００２９】
整流器１２０は、アンテナ１１１によって受信された電磁波を整流する素子である。ここでは、交流波形を有する電磁波から、正の脈流または直流が生成されることを想定する。容量１４０は、整流器１２０の出力を平滑化するコンデンサである。これにより、平滑化された正の直流が、電源起動スイッチ１５０のゲートおよび受付制御スイッチ１８０のドレインに供給される。
【００３０】
容量１３０は、制御回路２００に電源が供給されている間に充電されるコンデンサである。これにより、制御回路２００への電源供給が切断された後にも、電源供給を一定期間継続させることができる。
【００３１】
電源１９０は、制御回路２００および本体回路４００への電源供給を行う電源回路である。この電源１９０による電源供給は、以下に説明する４つのスイッチ（トランジスタ）により制御される。すなわち、電源起動スイッチ１５０、電源維持スイッチ１６０、本体電源スイッチ１７０、および、受付制御スイッチ１８０である。これら４つのトランジスタは、この第１の実施の形態においては、ノーマリーオフ型ＮＭＯＳトランジスタであり、動作していない状態においては電流が流れず、電力を消費しない。
【００３２】
電源起動スイッチ１５０は、制御回路２００に対して、起動時に必要な電源を供給するためのトランジスタである。この電源起動スイッチ１５０のゲートは整流器１２０の出力に接続されており、アンテナ１１１によって受信された電磁波が整流器１２０によって整流されてその信号電圧が印加されることによって、この電源起動スイッチ１５０は導通状態となる。この電源起動スイッチ１５０が導通状態になると、電源１９０によって制御回路２００に電源が供給される。制御回路２００は、電源が供給されることによって起動すると、電源供給状態を維持するために、電源維持スイッチ１６０を導通状態にする電圧を印加する。また、制御回路２００は、電源起動スイッチ１５０を遮断状態にするために、受付制御スイッチ１８０を導通状態にする電圧を印加する。このように、この電源起動スイッチ１５０は、制御回路２００の電源起動時に導通状態になって、起動に必要な電源を供給する。制御回路２００は、電源が供給されることによって起動すると、リモートコントローラ２０からの本体回路４００を起動する信号がアンテナ１１２によって受信されるまで待機する。
【００３３】
電源維持スイッチ１６０は、制御回路２００に対して、起動後に必要な電源を供給するためのトランジスタである。この電源維持スイッチ１６０のゲートは制御回路２００に接続されており、制御回路２００から電圧が印加されることによってこの電源維持スイッチ１６０は導通状態となる。この電源維持スイッチ１６０が導通状態になると、電源起動スイッチ１５０が遮断状態になった後でも、電源１９０による制御回路２００への電源供給が維持される。ただし、アンテナ１１２を介して本体回路４００を起動する信号を所定期間内に受け取らなかった場合には、制御回路２００は電源維持スイッチ１６０への電圧印加を中止する。これにより、電源維持スイッチ１６０は切断状態となり、電源から遮断される。ただし、この場合であっても、容量１３０に充電された電力により一定期間、電源供給は継続される。このように、制御回路２００への電源供給を維持するか否かが、この電源維持スイッチ１６０を介して制御回路２００によって制御される。
【００３４】
本体電源スイッチ１７０は、本体回路４００に対して、動作に必要な電源を供給するためのトランジスタである。この本体電源スイッチ１７０のゲートは制御回路２００に接続されており、制御回路２００から電圧が印加されることによってこの本体電源スイッチ１７０は導通状態となる。制御回路２００は、電源が供給されることによって起動すると、リモートコントローラ２０からの本体回路４００を起動する信号がアンテナ１１２によって受信されるまで待機する。本体回路４００を起動する信号を受信すると、制御回路２００は、本体電源スイッチ１７０を導通状態にする電圧を印加する。この本体電源スイッチ１７０が導通状態になると、電源１９０によって本体回路４００に電源が供給される。
【００３５】
受付制御スイッチ１８０は、アンテナ１１１からの信号受付を制御するためのトランジスタである。この受付制御スイッチ１８０のゲートは制御回路２００に接続されており、制御回路２００から電圧が印加されることによってこの受付制御スイッチ１８０は導通状態となる。この受付制御スイッチ１８０が導通状態になると、電源起動スイッチ１５０は遮断状態になり、アンテナ１１１からの信号を新たに受け付けないようになる。すなわち、アンテナ１１１に望まれない電磁波が入力されても、制御回路２００はシャットダウンすることができ、不要な電力消費を抑制することができる。
【００３６】
［動作］
図３は、本技術の第１の実施の形態における受付回路１００の動作の第１の例を示すタイミング図である。この第１の例は、本体回路４００を起動する信号を所定期間内に受け取った場合の例である。
【００３７】
アンテナ１１１によって電磁波が受信されると、その電磁波が整流器１２０によって整流され、その信号電圧が電源起動スイッチ１５０のゲートに印加される。これにより、電源起動スイッチ１５０が導通状態になり、電源１９０によって制御回路２００に電源が供給され、制御回路２００が起動する。
【００３８】
制御回路２００は、自身への電源供給状態を維持するために、電源維持スイッチ１６０を導通状態にする電圧を、電源維持スイッチ１６０のゲートに印加する。これにより、電源起動スイッチ１５０の状態にかかわらず、制御回路２００への電源供給状態が維持されるようになる。
【００３９】
また、制御回路２００は、受付制御スイッチ１８０を導通状態にする電圧を、受付制御スイッチ１８０のゲートに印加する。これにより、受付制御スイッチ１８０が導通状態になり、電源起動スイッチ１５０のゲートに印加されていた信号電圧が停止する。そのため、電源起動スイッチ１５０は遮断状態になり、アンテナ１１１からの信号を新たに受け付けないようになる。
【００４０】
そして、制御回路２００は、アンテナ１１２によって本体回路４００を起動する信号が受信されたことを確認すると、本体電源スイッチ１７０を導通状態にする電圧を、本体電源スイッチ１７０のゲートに印加する。これにより、本体電源スイッチ１７０が導通状態になり、電源１９０によって本体回路４００に電源が供給される。
【００４１】
図４は、本技術の第１の実施の形態における受付回路１００の動作の第２の例を示すタイミング図である。この第２の例は、本体回路４００を起動する信号を所定期間内に受け取らなかった場合の例である。
【００４２】
この第２の例においても、上述の第１の例と同様に、制御回路２００が起動され、アンテナ１１２によって本体回路４００を起動する信号が受信されるのを待機する。この第２の例では、本体回路４００を起動する信号を所定期間内に受け取ることができず、制御回路２００は電源維持スイッチ１６０のゲートへの電圧印加を中止する。これにより、電源維持スイッチ１６０は切断状態となり、電源から遮断される。すなわち、この場合には、本体回路４００に電源は供給されない。
【００４３】
ただし、電源が供給されていた間に容量１３０が充電されており、制御回路２００には一定期間、電源供給が継続される。したがって、その間は受付制御スイッチ１８０のゲートへの電圧印加が継続し、アンテナ１１１からの信号の受付を抑制する。
【００４４】
その後、容量１３０に充電されていた電荷がなくなり、受付制御スイッチ１８０のゲートへの電圧印加が行われなくなると、受付制御スイッチ１８０は遮断状態となり、再びアンテナ１１１からの信号を受け付けることができるようになる。
【００４５】
このように、本技術の第１の実施の形態では、アンテナ１１１において受信した信号の電圧により制御回路２００を起動して、アンテナ１１２において本体回路４００を起動する信号が受信されるのを待機する。制御回路２００は、起動するまで完全にシャットダウンしているため、待機電力を消費しない。また、信号を受け付けて電源を供給するためのスイッチはノーマリ―オフ型のトランジスタを用いることができる。これにより、電力を消費することなくリモートコントローラ２０からの信号受信を待機することができる。
【００４６】
また、バッテリー駆動型のデバイスにおいては、待機電力の削減が駆動時間の長寿命化につながるため、本技術と相性がよい。また、外部から命令を送るときだけ、制御回路２００を起動するための電磁波を送ることによって制御回路２００を起動することができるため、効率がよい電源起動方式である。また、回路に常に電流が流れていないため、トランジスタの特性変化や配線の劣化の進行を遅らせることができ、集積回路の故障率低下および長寿命化に寄与することができる。
【００４７】
＜２．第２の実施の形態＞
上述の第１の実施の形態では、２本のアンテナによって信号を受信することを想定していた。これに対し、この第２の実施の形態では、１本のアンテナによって信号を受信することを想定する。なお、システムとしての基本的な構成は上述の第１の実施の形態と同様であるため、詳細な説明は省略する。
【００４８】
［回路構成］
図５は、本技術の第２の実施の形態における受付回路１００の回路構成の一例を示す図である。
【００４９】
この第２の実施の形態における受付回路１００では、１本のアンテナ１１３により電磁波を受信して、分波器１１４によって２つの系統に分波する。分波器１１４は、電磁波をその周波数帯によって分波するアンテナカプラーである。すなわち、この分波器１１４は、制御回路２００を起動するために使用される周波数帯信号であれば整流器１２０に供給し、それ以外の周波数帯信号であれば制御回路２００に供給する。それ以降の処理は、上述の第１の実施の形態と同様である。なお、アンテナ１１３は、特許請求の範囲に記載の受信部の一例である。
【００５０】
分波器１１４において２つの系統の電磁波を区別するために、リモートコントローラ２０からの信号については、何らかの変調を施す必要がある。例えば、振幅変調や周波数変調などが想定される。
【００５１】
［動作］
図６は、本技術の第２の実施の形態における受付回路１００の動作の第１の例を示すタイミング図である。この第１の例は、リモートコントローラ２０からの信号が変調されたものであり、制御回路２００と電源起動スイッチ１５０（Ｍ１）を制御する２つの異なる周波数帯の信号が同時に送信されてくる場合の例である。両者の信号は、１ＧＨｚ帯および５００ＭＨｚ帯などの異なる周波数帯により送信される。分波器１１４は、両者の信号を分波して、一方を整流器１２０の入力に、他方を制御回路２００の入力にそれぞれ供給する。なお、この例では整流器１２０に対して高い周波数帯の信号を分波し、制御回路２００に対して低い周波数帯の信号を分波しているが、周波数帯の高低は逆であってもよい。
【００５２】
図７は、本技術の第２の実施の形態における受付回路１００の動作の第２の例を示すタイミング図である。この第２の例は、リモートコントローラ２０からの信号が変調されたものであり、制御回路２００と電源起動スイッチ１５０（Ｍ１）を制御する２つの異なる周波数帯の信号が時間をずらして送信されてくる場合の例である。この場合においても、分波器１１４は、両者の信号を分波して、一方を整流器１２０の入力に、他方を制御回路２００の入力にそれぞれ供給する。なお、上述の第１の例と同様に、整流器１２０に対して高い周波数帯の信号を分波し、制御回路２００に対して低い周波数帯の信号を分波しているが、周波数帯の高低は逆であってもよい。
【００５３】
このように、本技術の第２の実施の形態では、アンテナ１１３によって受信された信号を分波器１１４によって２つの系統に分波して、それぞれの動作を行う。これにより、１本のアンテナ１１３により、電源を消費することなく信号を待機することができる。
【００５４】
＜３．第３の実施の形態＞
上述の第１の実施の形態では、４つのスイッチとしてノーマリーオフ型ＮＭＯＳトランジスタを用いる例を想定していた。これに対し、この第３の実施の形態では、ノーマリーオフ型ＰＭＯＳトランジスタを用いることを想定する。なお、システムとしての基本的な構成は上述の第１の実施の形態と同様であるため、詳細な説明は省略する。
【００５５】
［回路構成］
図８は、本技術の第３の実施の形態における受付回路１００の回路構成の一例を示す図である。
【００５６】
この例では、電源起動スイッチ１５１、電源維持スイッチ１６１、本体電源スイッチ１７１、および、受付制御スイッチ１８１は、ノーマリーオフ型ＰＭＯＳトランジスタである。したがって、上述の第１の実施の形態とは極性が逆になっている。そのため、整流器１２１の極性も上述の第１の実施の形態とは逆であり、交流波形を有する電磁波から、負の脈流または直流が生成される。
【００５７】
電源起動スイッチ１５１は、整流器１２１から負の信号電圧が印加されると導通状態となる。これにより、制御回路２００が起動して、上述の第１の実施の形態と同様の動作を行う。ただし、電源維持スイッチ１６１、本体電源スイッチ１７１、および、受付制御スイッチ１８１のゲートに印加される電圧は、負の電圧である。
【００５８】
このように、本技術の第３の実施の形態によれば、ノーマリーオフ型ＰＭＯＳトランジスタを用いて、電力を消費することなくリモートコントローラ２０からの信号受信を待機することができる。
【００５９】
＜４．第４の実施の形態＞
上述の第３の実施の形態では、第１の実施の形態と同様に、２本のアンテナによって信号を受信することを想定していた。これに対し、この第４の実施の形態では、第２の実施の形態と同様に、１本のアンテナによって信号を受信することを想定する。なお、システムとしての基本的な構成は上述の第１の実施の形態と同様であるため、詳細な説明は省略する。
【００６０】
［回路構成］
図９は、本技術の第４の実施の形態における受付回路１００の回路構成の一例を示す図である。
【００６１】
この第４の実施の形態における受付回路１００は、上述の第３の実施の形態において、上述の第２の実施の形態と同様に、１本のアンテナ１１３により信号を受信して、分波器１１４によって２つの系統に分波する。これにより、ノーマリーオフ型ＰＭＯＳトランジスタを用いた回路構成において、１本のアンテナ１１３によりリモートコントローラ２０からの信号を待機する。
【００６２】
このように、本技術の第４の実施の形態によれば、ノーマリーオフ型ＰＭＯＳトランジスタを用いた回路構成において、１本のアンテナ１１３により電源を消費することなく信号を待機することができる。
【００６３】
＜５．第５の実施の形態＞
上述の第３の実施の形態では、４つのスイッチの全てにおいてノーマリーオフ型ＰＭＯＳトランジスタを用いていたが、４つのスイッチはノーマリーオフ型ＮＭＯＳトランジスタとノーマリーオフ型ＰＭＯＳトランジスタとを混在させてもよい。この第５の実施の形態では、本体回路４００の電源制御のスイッチにノーマリーオフ型ＮＭＯＳトランジスタを用いて、他のスイッチにノーマリーオフ型ＰＭＯＳトランジスタを用いて、両者を混在させた例について説明する。
【００６４】
［回路構成］
図１０は、本技術の第５の実施の形態における受付回路１００の回路構成の一例を示す図である。
【００６５】
この例では、電源起動スイッチ１５１、電源維持スイッチ１６１、および、受付制御スイッチ１８１は、ノーマリーオフ型ＰＭＯＳトランジスタである。一方、本体電源スイッチ１７０は、ノーマリーオフ型ＮＭＯＳトランジスタである。そして、整流器１２１は、交流波形を有する電磁波から、負の脈流または直流を生成する。
【００６６】
電源起動スイッチ１５１は、整流器１２１から負の信号電圧が印加されると導通状態となる。これにより、制御回路２００が起動して、上述の第１の実施の形態と同様の動作を行う。ただし、電源維持スイッチ１６１、および、受付制御スイッチ１８１のゲートに印加される電圧は、負の電圧である。一方、本体電源スイッチ１７０のゲートに印加される電圧は、正の電圧である。
【００６７】
このように、本技術の第５の実施の形態によれば、ノーマリーオフ型ＮＭＯＳトランジスタおよびノーマリーオフ型ＰＭＯＳトランジスタを混在させた回路において、電力を消費することなくリモートコントローラ２０からの信号受信を待機することができる。
【００６８】
＜６．第６の実施の形態＞
上述の第２の実施の形態では、１本のアンテナ１１３により電磁波を受信して、分波器１１４によって２つの系統に分波していた。これに対し、この第６の実施の形態では、分配器を用いて信号を分配する例を示す。
【００６９】
［回路構成］
図１１は、本技術の第６の実施の形態における受付回路１００の回路構成の一例を示す図である。この第６の実施の形態における受付回路１００では、１本のアンテナ１１３により電磁波を受信して、分配器１１５によって２つの系統に分配する。分配器１１５は、電磁波を複数系統に分配するものである。これ以外の構成については、上述の第２の実施の形態と同様であるため、詳細な説明は省略する。
【００７０】
［動作］
図１２は、本技術の第６の実施の形態における受付回路１００の動作例を示すタイミング図である。この動作例は、リモートコントローラ２０からの信号が変調されたものである場合の例である。
【００７１】
電源起動スイッチ１５０（Ｍ１）を駆動するためには、整流器１２０に対して大きい振幅の信号を入力する必要がある。一方、本体電源スイッチ１７０（Ｍ３）のゲート電圧を制御する制御回路２００は、小さい振幅でも信号を復調することが可能であるため、小さい電力の分配で十分である。そのため、分配器１１５は、図示されるように、整流器１２０に対して大きい振幅の信号を供給し、制御回路２００に対して小さい振幅の信号を供給する、という動作を行う。それ以降の処理は、上述の第１の実施の形態と同様である。
【００７２】
なお、この例では電源起動スイッチ１５０（Ｍ１）を駆動するために高い周波数帯の信号を使用し、制御回路２００において低い周波数帯の信号を使用しているが、周波数帯の高低は逆であってもよい。また、周波数帯は、必ずしも異なるものである必要はない。
【００７３】
このように、本技術の第６の実施の形態では、アンテナ１１３によって受信された信号を分配器１１５によって２つの系統に分配して、それぞれの動作を行う。これにより、１本のアンテナ１１３により、電源を消費することなく信号を待機することができる。
【００７４】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００７５】
なお、本明細書に記載された効果はあくまで例示であって、限定されるものではなく、また、他の効果があってもよい。
【００７６】
なお、本技術は以下のような構成もとることができる。
（１）電源の供給を起動するための電源起動スイッチと、
電磁波を受信する受信部と、
前記受信部により受信された前記電磁波を整流して整流信号を出力してその整流信号により前記電源起動スイッチを導通状態にする整流器と、
前記電源起動スイッチが導通状態になることにより電源の供給を受けて動作を開始する制御回路と
を具備する電源制御回路。
（２）前記電源起動スイッチと並列に接続される電源維持スイッチをさらに具備し、
前記制御回路は、前記動作を開始すると前記電源維持スイッチを導通状態にして前記制御回路への電源の供給を維持する
前記（１）に記載の電源制御回路。
（３）前記制御回路は、前記電磁波により本体回路を起動する信号を所定期間内に受け取らなかった場合には前記電源維持スイッチを切断状態にして前記制御回路への電源の供給を停止する
前記（２）に記載の電源制御回路。
（４）前記整流器から前記電源起動スイッチへの信号の受付を制御する受付制御スイッチをさらに具備し、
前記制御回路は、前記電源維持スイッチを導通状態にした後に前記受付制御スイッチを導通状態にすることにより前記電源起動スイッチを切断状態にする
前記（２）または（３）に記載の電源制御回路。
（５）前記電源維持スイッチと直列に接続されて、前記電源維持スイッチが切断状態になった後にも前記制御回路への電源供給を一定期間継続させる容量をさらに具備する
前記（２）から（４）のいずれかに記載の電源制御回路。
（６）本体回路の電源制御を行う本体電源スイッチをさらに具備し、
前記制御回路は、前記電磁波が前記本体回路を起動する信号であった場合には前記本体電源スイッチを導通状態にして前記本体回路への電源の供給を開始させる
前記（１）から（５）のいずれかに記載の電源制御回路。
（７）本体回路への制御信号を含む電磁波を受信する第２の受信部をさらに具備し、
前記制御回路は、前記第２の受信部により受信された前記制御信号に従って前記本体回路を制御する
前記（１）から（５）のいずれかに記載の電源制御回路。
（８）前記受信部により受信された前記電磁波から本体回路への制御信号を含む電磁波を分波する分波器をさらに具備し、
前記制御回路は、前記分波器により分波された前記制御信号に従って前記本体回路を制御する
前記（１）から（６）のいずれかに記載の電源制御回路。
（９）前記受信部により受信された前記電磁波から本体回路への制御信号を含む電磁波を分配する分配器をさらに具備し、
前記制御回路は、前記分配器により分配された前記制御信号に従って前記本体回路を制御する
前記（１）から（６）のいずれかに記載の電源制御回路。
（１０）前記整流器は、前記電磁波を正の信号に整流し、
前記電源起動スイッチは、ノーマリーオフ型ＮＭＯＳトランジスタである
前記（１）から（８）のいずれかに記載の電源制御回路。
（１１）前記整流器は、前記電磁波を負の信号に整流し、
前記電源起動スイッチは、ノーマリーオフ型ＰＭＯＳトランジスタである
前記（１）から（８）のいずれかに記載の電源制御回路。
（１２）前記受信部は、アンテナである
前記（１）から（１１）のいずれかに記載の電源制御回路。
（１３）前記受信部は、コイルである
前記（１）から（１１）のいずれかに記載の電源制御回路。
（１４）本体回路と、
前記本体回路の電源制御を行う本体電源スイッチと、
電源の供給を起動するための電源起動スイッチと、
電磁波を受信する受信部と、
前記受信部により受信された前記電磁波を整流して整流信号を出力してその整流信号により前記電源起動スイッチを導通状態にする整流器と、
前記電源起動スイッチが導通状態になることにより電源の供給を受けて動作を開始して、前記電磁波が前記本体回路を起動する信号であった場合には前記本体電源スイッチを導通状態にして前記本体回路への電源の供給を開始させる制御回路と
を具備する電子機器。
【符号の説明】
【００７７】
１０  電子機器
２０  リモートコントローラ
１００  受付回路
１１１〜１１３  アンテナ
１１４  分波器
１２０、１２１  整流器
１３０、１４０  容量
１５０、１５１  電源起動スイッチ
１６０、１６１  電源維持スイッチ
１７０、１７１  本体電源スイッチ
１８０、１８１  受付制御スイッチ
１９０  電源
２００  制御回路
３００  電源制御回路
４００  本体回路
【図１】
2019142417.tif 000003
【図２】
2019142417.tif 000004
【図３】
2019142417.tif 000005
【図４】
2019142417.tif 000006
【図５】
2019142417.tif 000007
【図６】
2019142417.tif 000008
【図７】
2019142417.tif 000009
【図８】
2019142417.tif 000010
【図９】
2019142417.tif 000011
【図１０】
2019142417.tif 000012
【図１１】
2019142417.tif 000013
【図１２】
2019142417.tif 000014
【国際調査報告】
2019142417.tif 000015
2019142417.tif 000016
2019142417.tif 000017